(57)【要約】構成部材を支持部分（３）に固定するために適した固定エレメントが提案される。当該固定エレメントは、固定したい構成部材のための保持部分（１）と、アンカ基部（２）とから成っており、該アンカ基部（２）によって、当該固定エレメントが、支持部分（３）の、一貫して延びる孔内にアンカ固定可能である。アンカ基部（２）は、保持部分（１）から鉛直に突出した軸部（５）と、互いに反対の側に位置する、一方の端部で軸部端部（６）に結合された、保持部分（１）に向かって拡開された少なくとも２つのばねアーム（４）とを有しており、該ばねアーム（４）の外面に、段部（１３）によって引っ込められた、互いに反対の側に位置する当付け面（１４）が形成されている。支持部分（３）の孔内へのアンカ基部（２）の挿入時には、当付け面（１４）が、孔の壁にばね弾性的に当て付けられるようになっているのに対して、段部（１３）は同時に孔縁部に背後から係合するようになっている。円錐形に拡開されたばねアーム（４）に、支持部分（３）に設けられた異なる幅の孔の直径に相当する異なる高さで段部（１１，１３）によって半径方向に引っ込められた、互いに反対の側に位置する当付け面（１２，１４）が対を成して配置されており、該当付け面（１２，１４）の曲率が、各孔壁（１５）の曲率に追従しており、軸部（５）が、同一の高さに、しかし、ばねアーム（４）に対してそれぞれ９０゜だけずらされて、支持部分（３）に設けられた異なる幅の同一の孔の直径に相当する、各孔壁（１５）の曲率に追従する当付け面（９，１０）を有しており、該当付け面（９，１０）が、支持部分（３）の孔内へのアンカ基部（２）の挿入時に、該当する孔壁（１５）に当て付けられるようになっていることによって特徴付けられている。
2005524034.tif 000002
【特許請求の範囲】
【請求項１】
構成部材を支持部分に固定するための固定エレメントであって、固定したい構成部材のための保持部分と、アンカ基部とが設けられており、該アンカ基部によって、当該固定エレメントが、支持部分の、一貫して延びる孔内にアンカ固定可能であり、アンカ基部が、保持部分から鉛直に突出した軸部と、互いに反対の側に位置する、一方の端部で軸部端部に結合された、保持部分に向かって拡開された少なくとも２つのばねアームとを有しており、該ばねアームの外面に、段部によって引っ込められた、互いに反対の側に位置する当付け面が形成されており、該当付け面が、支持部分の孔内へのアンカ基部の挿入と同時に段部による孔縁部への背後からの係合時に、孔の壁にばね弾性的に当て付けられるようになっている形式のものにおいて、
円錐形に拡開されたばねアーム（４）に、支持部分（３）に設けられた異なる幅の孔の直径に相当する異なる高さで段部（１１，１３）によって半径方向に引っ込められた、互いに反対の側に位置する当付け面（１２，１４）が対を成して配置されており、該当付け面（１２，１４）の曲率が、各孔壁（１５）の曲率に追従しており、軸部（５）が、同一の高さに、しかし、ばねアーム（４）に対してそれぞれ９０゜だけずらされて、支持部分（３）に設けられた異なる幅の同一の孔の直径に相当する、各孔壁（１５）の曲率に追従する当付け面（９，１０）を有しており、該当付け面（９，１０）が、支持部分（３）の孔内へのアンカ基部（２）の挿入時に、該当する孔壁（１５）に当て付けられるようになっていることを特徴する、構成部材を支持部分に固定するための固定エレメント。
【請求項２】
ばねアーム（４）と軸部（５）とに、異なる２つの孔直径に対する当付け面（１２，１４，９，１０）が配置されている、請求項１記載の固定エレメント。
【請求項３】
軸部（５）が、ばねアーム（４）の間に位置する扁平体として形成されており、該扁平体が、その両狭幅面で自由端部（６）から第１の孔サイズの直径にまで円錐形に拡張されていて、これに続いて、第１の孔の孔壁（１５）に追従する部分円筒状の当付け面（９）を備えた、支持部分（３）の厚さに相当する高さを備えた区分（７）を有していて、その後、第２の孔サイズの直径にまで拡張されていて、これに続いて、第２の孔の孔壁に追従する部分円筒状の当付け面（１０）を備えた、支持部分（３）の厚さに相当する高さを備えた区分（８）を有している、請求項１記載の固定エレメント。
【発明の詳細な説明】
【技術分野】
【０００１】
本発明は、構成部材を支持部分に固定するための固定エレメントであって、固定したい構成部材のための保持部分と、アンカ基部とが設けられており、該アンカ基部によって、当該固定エレメントが、支持部分の、一貫して延びる孔内にアンカ固定可能であり、アンカ基部が、保持部分から鉛直に突出した軸部と、互いに反対の側に位置する、一方の端部で軸部端部に結合された、保持部分に向かって拡開された少なくとも２つのばねアームとを有しており、該ばねアームの外面に、段部によって引っ込められた、互いに反対の側に位置する当付け面が形成されており、該当付け面が、支持部分の孔内へのアンカ基部の挿入と同時に段部による孔縁部への背後からの係合時に、孔の壁にばね弾性的に当て付けられるようになっている形式のものに関する。
【０００２】
このような固定エレメントは自体公知であるが、しかし、主として、支持部分の、規定された直径を備えた孔内に固定するためにしか適していない。すなわち、これと異なる直径を備えた孔に対して、その都度この孔に適合される特別な固定エレメントが製造されなければならない。
【０００３】
ドイツ連邦共和国実用新案第２０１０１３２８号明細書によって、上述した形式の固定エレメントが公知である。この公知の固定エレメントでは、この固定エレメントが２つの部分から形成されており、保持部分に設けられたアンカ基部が中心軸線に対して垂直に可動であることによって、複数のこのような固定エレメントによる第２の面状のボディへの一方の面状のボディの固定時に固定点の間の誤差補償が可能となる。保持部分に設けられたアンカ基部の回動は、軸部に設けられた側方の突出部によって阻止される。ばねアームの外面は段部によって２つの区分に分割することができるが、分割されている必要はなく、これによって、一方の面状のボディが、他方の面状のボディへの組付け時に中間位置または前組付け位置をとることができる。この位置では、結合がまだ緩いかもしくは一方のボディがまだ側方に運動可能である。このためには、前述した段部の後方の、ばねアームの外面によって規定された直径が、ボディに設けられた、アンカ基部を差し込みたい孔の直径よりも小さく寸法設定されている。この場合、本来の固定は、孔の縁部が、ばねアームの自由端部に設けられた段部によって背後から係合される場合に初めて第２のステップで実現される。
【０００４】
ドイツ連邦共和国特許出願公開第２１５３０６２号明細書には、拡開されたばねアームの、支持部分に設けられた孔の縁部に当て付けられるようになっている自由端部が凹状に曲げられた固定エレメントが開示されている。これによって、同一の固定エレメントが、規定された範囲の内部の異なる直径を備えた孔内でのアンカ固定のために適していることが達成されるようになっている。しかし、揺動なしの確実なアンカ固定は、ばねアームの、湾曲した当付け面によって達成することはできない。それは、ここでは、規定されたサイズの異なる直径ではなく、所定の範囲にわたって変化する直径を備えた孔内でのアンカ固定が目標とされるせいでもある。対を成して側方にかつ互いに直角に突出した、軸部に設けられた延長部は、単に規定された直径における孔、すなわち、ただ１つのサイズの孔内でのアンカ基部の水平方向の移動を阻止することができる。より小さな直径を備えた孔内には、固定エレメントを決して組み付けることができない。より大きな直径を備えた孔では、ばねアームがアンカ基部の側方の遊びに基づき係止解除する危険があり得る。
【０００５】
アメリカ合衆国特許第２４２４７５７号明細書によって、円筒状の構成部材をプレート状の支持部分に固定することができる固定エレメントが公知である。この公知の固定エレメントはスリーブを有している。このスリーブは円筒状の構成部材に被せられる。スリーブから側方に、拡開された一対のばねアームが突出している。両ばねアームの自由端部は複数回段付けされている。これによって、異なる厚さの支持部分内でのアンカ固定が可能となるようになっている。孔の、規定された異なる直径にばねアームが適合することもできる。しかし、ここでも、ばねアームの係止解除の危険があり得る。
【０００６】
本発明の課題は、冒頭で述べた形式の固定エレメントを改良して、アンカ基部が、少なくとも２つの異なる直径の孔内での揺動なしの確実なアンカ固定を保証しており、特に固定エレメントの側方の負荷時のばねアームの係止解除が排除されているようにすることである。
【０００７】
このことは、本発明によれば、円錐形に拡開されたばねアームに、支持部分に設けられた異なる幅の孔の直径に相当する異なる高さで段部によって半径方向に引っ込められた、互いに反対の側に位置する当付け面が対を成して配置されており、該当付け面の曲率が、各孔壁の曲率に追従しており、軸部が、同一の高さに、しかし、ばねアームに対してそれぞれ９０゜だけずらされて、支持部分に設けられた異なる幅の同一の孔の直径に相当する、各孔壁の曲率に追従する当付け面を有しており、該当付け面が、支持部分の孔内へのアンカ基部の挿入時に、該当する孔壁に当て付けられるようになっていることによって達成される。
【０００８】
これによって、固定エレメントが、支持部分に設けられた異なる直径を備えた孔に対して使用可能となる。もはや各孔サイズに対して、特別な固定エレメントが製作されて提供される必要はない。同時に、アンカ基部の側方の負荷時でも、固定エレメントのアンカ基部が各孔内に、アンカ基部に形成された少なくとも４つの当付け面によって確実にかつ揺動なしに保持されることが達成される。側方の負荷時のばねアームの係止解除は、軸部に設けられた当付け面によって確実に阻止される。
【０００９】
本発明の有利な構成によれば、ばねアームと軸部とに、特に慣用の異なる２つの孔直径に対する当付け面が配置されている。
【００１０】
軸部が、ばねアームの間に位置する扁平体として形成されており、該扁平体が、その両狭幅面で自由端部から第１の孔サイズの直径にまで円錐形に拡張されていて、これに続いて、第１の孔の孔壁に追従する部分円筒状の当付け面を備えた、支持部分の厚さに相当する高さを備えた区分を有していて、その後、第２の孔サイズの直径にまで拡張されていて、これに続いて、第２の孔の孔壁に追従する部分円筒状の当付け面を備えた、支持部分の厚さに相当する高さを備えた区分を有していると有利である。
【００１１】
以下に、本発明の実施例を図面につき詳しく説明する。
【００１２】
すでに記載したように、前述した形式の固定エレメントでは、特にこの固定エレメントが１つよりも多くの孔直径のために適していることが望ましい場合に、これまでまだ満足のいく形で解決することができなかった完全に規定された困難が生ぜしめられる。
【００１３】
支持部分の孔内にアンカ固定されたアンカ基部には４つの自由度が存在している。これらの自由度でアンカ基部は運動することができる。アンカ基部は、
ａ．その固有の軸線の方向に運動することができ、アンカ基部は、
ｂ．その軸線を中心として回転することができ、アンカ基部は、
ｃおよびｄ．その軸線に対して横方向の平面内でｘ方向にかつｙ方向に運動することができるかもしくはこの平面内で移動することができる。
【００１４】
添付した図面の図１および図２には、アンカ基部２のこの運動可能性が、保持部分１とアンカ基部とから成る、冒頭で述べた形式の固定エレメントの例で概略的に示してある。アンカ基部２は、支持部分３の、一貫して延びる孔内にすでにアンカ固定されている。支持部分３は自由度ａ，ｃ，ｄでの運動、すなわち、軸線方向およびベース基部２の軸線に対して横方向の平面での運動を制限することができるのに対して、ベース基部２の軸線を中心とした回転（自由度ｂ）を制限することはできない。これまで、アンカ基部の確実な機能、すなわち、支持部分３における不本意に解離し得ない確実なアンカ固定が両ばねアーム４の作用にしか起因していないことが誤って想定された。しかし、この両ばねアーム４は軸線方向（自由度ａ）での運動しか制限していない。平面（自由度ｃおよびｄ）での制限は、本来、軸部５によって引き受けられなければならないようになっている。この事態はこれまで認知されなかったかもしくは特に異なる直径を備えた孔内でのアンカ固定のために適していることが望ましい固定エレメントにおいて十分に考慮されなかった。なぜならば、この形式の公知の固定エレメントでは、たとえば図３で見て矢印Ｆの方向への固定エレメントの側方の負荷時にばねアーム４の係止解除が生ぜしめられ、アンカ基部２が支持部分３の孔内での保持を喪失するように、軸部が成形されていると同時に寸法設定されているからである。このことは、図３に概略的に示してある。
【００１５】
この事態に即応するために、図４によれば、挿入時に、支持部分に設けられた孔を通って突入するアンカ基部２が、その中心軸線に位置する、一方向で扁平加工された軸部５を有している。この方向に対して垂直な他方向では、軸部５がその自由端部６から、支持部分に設けられた、たとえば０．５ｍｍの第１の孔の直径に相当する幅にまで円錐形に拡張されている。ここでは、円錐形の経過がまず中断されており、区分７が続いている。この区分７はその両狭幅面にそれぞれ１つの部分円筒状の当付け面９を有している。この当付け面９は第１の孔の内壁に密に当て付けられ得る。その後、軸部５が再度、支持部分に設けられた、たとえば６．８ｍｍの第２の孔の直径に相当する幅にまで円錐形に拡張されており、再び、部分円筒状の当付け面１０を備えた区分８が続いている。この場合、当付け面１０は第２の孔の内壁に当て付けられ得る。区分８は保持部分１との結合部に移行している。部分円筒状の当付け面９，１０を備えた両区分７，８は、支持部分の厚さに相当する高さを有している。
【００１６】
両扁平面では、軸部５の自由端部６から、互いに反対の側に位置する、保持部分１に向かって円錐形に拡開される２つのばねアーム４が出発している。軸部５の第１の部分円筒状の区分７の高さには、両ばねアーム４が第１の段部１１を有している（図５参照）。この第１の段部１１には、この段部１１によって半径方向に引っ込められた、より小さな直径を備えた孔に対する同じく部分円筒状のそれぞれ１つの当付け面１２が続いている。その後、ばねアーム４がさらに軸部５の第２の部分円筒状の区分８の高さにまで拡開されている。そこには、第２の段部１３によって、より大きな直径を備えた孔に対する部分円筒状のそれぞれ１つの別の当付け面１４が形成されている。
【００１７】
したがって、アンカ基部２には、各孔サイズに対して、それぞれ９０゜だけずらされた４つの当付け面９，１０，１２，１４が形成されている。アンカ基部２が支持部分３のより狭い孔内に挿入される場合には、ばねアーム４がその第１の当付け面１２で孔の壁にばね弾性的に当て付けられる。この場合、第１の段部１１が支持部分３に背後から係合する。同時に９０゜だけずらされて、軸部５の第１の当付け面９も孔の壁に当て付けられる。相応のことが、より大きな直径を備えた孔内へのアンカ基部２の挿入時に、ばねアーム４の第２の当付け面１４および第２の段部１３および軸部５の第２の当付け面１０に当てはまる。
【００１８】
ばねアーム４の段部１１，１３は、公知の形式で軸方向でのアンカ基部２の運動を制限する。しかし、いま、軸部５の当付け面９，１０によって、軸線方向に対して垂直な平面でのアンカ基部２の運動も確実に制限されるので、このアンカ基部２の側方の負荷時でも、ばねアーム４の係止解除は生ぜしめられ得ない。すなわち、アンカ固定が常に確実にかつ揺動なしに保たれる。上述したように形成された軸部５のこの作用は図６に概略的に示してある。軸部５の当付け面９；１０が密にもしくはほんの僅かな遊びを備えて孔壁１５に接触することによって、ｘ方向およびｙ方向への平面でのアンカ基部２の運動が制限される。
【図面の簡単な説明】
【００１９】
【図１】本発明によって解決される問題性を示す図である。
【００２０】
【図２】本発明によって解決される問題性を示す図である。
【００２１】
【図３】本発明によって解決される問題性を示す図である。
【００２２】
【図４】本発明による固定エレメントのアンカ基部の三次元図である。
【００２３】
【図５】図４に示したアンカ基部の縦断面図である。
【００２４】
【図６】本発明によるアンカ基部の作用を示す図である。
【符号の説明】
【００２５】
１  保持部分、  ２  アンカ基部、  ３  支持部分、  ４  ばねアーム、  ５  軸部、  ６  自由端部、  ７  区分、  ８  区分、  ９  当付け面、  １０  当付け面、  １１  段部、  １２  当付け面、  １３  段部、  １４  当付け面、  １５  孔壁、  ａ，ｂ，ｃ，ｄ  自由度
【図１】
2005524034.tif 000003
【図２】
2005524034.tif 000004
【図３】
2005524034.tif 000005
【図４】
2005524034.tif 000006
【図５】
2005524034.tif 000007
【図６】
2005524034.tif 000008
【国際調査報告】
2005524034.tif 000009
2005524034.tif 000010
2005524034.tif 000011
2005524034.tif 000012
2005524034.tif 000013
2005524034.tif 000014